(57)【要約】【課題】作物の落下による回収等の人手による作業の発生を低減できると共に、作物の商品価値の低下を抑制すること。【解決手段】人参を貯留する貯留部（１００）と、貯留部（１００）に貯留された人参を上方へ搬送する汲上搬送装置（２００）と、汲上搬送装置（２００）から供給されてくる人参を整列させながら搬送する整列搬送装置（３００）と、汲上搬送装置（２００）から供給されてきた人参の詰まり状態の有無を検知するための人参詰まり検知装置（４００）と、人参詰まり検知装置（４００）による検知結果に基づいて、人参の詰まりを検知した場合、汲上搬送装置（２００）の動作を停止又は搬送速度を低減させる制御装置（４５０）と、を備えたことを特徴とする人参整列装置（１）である。【選択図】図１
2018052708.tif 000002
【特許請求の範囲】
【請求項１】
作物を貯留する貯留部（１００）と、
前記貯留部（１００）に貯留された前記作物を上方へ搬送する上方搬送装置（２００）と、
前記上方搬送装置（２００）から供給されてくる前記作物を整列させながら搬送する整列搬送装置（３００）と、
前記上方搬送装置（２００）から供給されてきた前記作物の詰まり状態の有無を検知するための詰まり検知装置（４００）と、
前記詰まり検知装置（４００）による検知結果に基づいて、前記作物の詰まりを検知した場合、前記上方搬送装置（２００）の動作を停止又は搬送速度を低減させる制御装置（４５０）と、
を備えたことを特徴とする作物整列装置。
【請求項２】
前記詰まり検知装置（４００）は、
前記作物と接触状態にあるときは所定位置に移動し、前記作物と非接触状態にあるときは元の位置に戻る移動板（４１０Ｌ、４１０Ｒ）と、
前記移動板（４１０Ｌ、４１０Ｒ）が前記所定位置に位置している間、前記作物との接触状態を検知し続ける接触状態検知スイッチ（４２０Ｌ、４２０Ｒ）と、を有し、
前記制御装置（４５０）は、前記接触状態検知スイッチ（４２０Ｌ、４２０Ｒ）による前記接触状態の検知が、第１所定時間継続したと判定した場合、前記上方搬送装置（２００）の動作を停止又は前記搬送速度を低減させる、ことを特徴とする請求項１に記載の作物整列装置。
【請求項３】
前記詰まり検知装置（４００）は、
前記作物と接触状態にあるときは所定位置に移動し、前記作物と非接触状態にあるときは元の位置に戻る移動板（４１０Ｌ、４１０Ｒ）と、
前記移動板（４１０Ｌ、４１０Ｒ）が前記元の位置に位置している間、前記作物との非接触状態を検知し続ける非接触状態検知スイッチと、を有し、
前記制御装置（４５０）は、前記非接触状態検知スイッチによる前記非接触状態の検知が行われていない時間が、第１所定時間継続したと判定した場合、前記上方搬送装置（２００）の動作を停止又は前記搬送速度を低減させる、ことを特徴とする請求項１に記載の作物整列装置。
【請求項４】
前記整列搬送装置（３００）は、
前記上方搬送装置（２００）から供給されてくる前記作物を所定の傾斜方向に沿って移動させる傾斜板（３０２）と、
前記傾斜板（３０２）により移動させられた前記作物を搬送する整列搬送コンベア（３０１）と、
前記傾斜板（３０２）を振動させるための振動装置（３２０Ａ）と、を有し、
前記制御装置（４５０）は、前記上方搬送装置（２００）の動作を停止又は前記搬送速度を低減させた後、前記振動装置（３２０Ａ）を作動させる、ことを特徴とする請求項２、又は３に記載の作物整列装置。
【請求項５】
前記整列搬送装置（３００）は、
前記整列搬送コンベア（３０１）上に前記作物が一つずつ並ぶ様に余分な作物を前記整列搬送コンベア（３０１）上から除外するための除外部材（３１０）と、
前記整列搬送コンベア（３０１）上から除外された前記余分な作物を前記貯留部（１００）に戻すためのリターン機構（３９０）と、
少なくとも前記整列搬送コンベア（３０１）を振動させるための第２振動装置（３２０Ｂ）と、を有していることを特徴とする、請求項４に記載の作物整列装置。
【請求項６】
前記整列搬送装置（３００）は、
前記整列搬送コンベア（３０１）に沿って設けられた、前記作物の外部への落下を防止する側壁部材（３６０Ｌ、３６０Ｒ）を有し、
前記側壁部材（３６０Ｌ、３６０Ｒ）の一部の部位（３６３）は、前記整列搬送コンベア（３０１）から外側に向けて移動可能に構成されており、
前記一部の部位を移動させるための移動装置（３６６）と、
前記一部の部位が前記外側に向けて移動した後、前記移動した前記下流側に沿った部位の側に落下してくる前記作物を前記リターン機構（３９０）に案内する案内部（３０４）と、を備え、
前記制御装置（４５０）は、前記上方搬送装置（２００）の動きを停止又は搬送速度を低減させた際、前記移動装置（３６６）に対して、前記一部の部位を前記外側に向けて移動させるための指令を出すことを特徴とする、請求項５に記載の作物整列装置。
【請求項７】
前記リターン機構（３９０）は、
前記整列搬送コンベア（３０１）上から除外された前記余分な作物を回収する開口部（３２６）と、
前記開口部（３２６）に移動した前記余分な作物を前記整列搬送コンベア（３０１）の左右何れか一方側に案内する案内シュータ（３９２）と、
前記案内シュータ（３９２）により案内された前記余分な作物を前記貯留部（１００）に戻すリターンコンベア（３９３）と、を有し、
前記除外部材（３１０）は、前記開口部（３２６）の上流側において、前記余分な作物を前記開口部（３２６）に移動させる様に回動可能に構成されており、
前記制御装置（４５０）は、前記移動装置（３６６）に前記指令を出した後、前記接触状態検知スイッチ（４２０Ｌ、４２０Ｒ）による前記接触状態の検知時間又は前記非接触状態検知スイッチによる前記非接触状態の検知が行われていない時間が、第２所定時間継続したと判定した場合、前記除外部材（３１０）を回動させるための指令を出すことを特徴とする、請求項６に記載の作物整列装置。
【発明の詳細な説明】
【技術分野】
【０００１】
本発明は、作物を整列させながら、下流側に配置されている選別装置側に搬送する作物整列装置に関する。
【背景技術】
【０００２】
従来より、作物整列装置は、貯留部から汲上搬送装置で作物を汲上搬送し、整列搬送装置で作物を一本ずつ前後方向に並ぶよう、作物を篩い落としながら搬送し、重量式の選別搬送装置に搬送するものが知られている（特許文献１参照）。
【０００３】
これにより、選別搬送装置に複数の作物が同時に搬送されることを防止できるので、作物の選別精度が向上する。
【０００４】
整列搬送装置で篩い落とされた作物は、リターンシュータを経由して貯留部に戻り、再び汲上搬送装置によって搬送されるので、作物を貯留部に投入しておけば、選別作業を無人で行うことが可能になる。
【先行技術文献】
【特許文献】
【０００５】
【特許文献１】特許第５４３９８２９号公報
【発明の概要】
【発明が解決しようとする課題】
【０００６】
しかしながら、上記従来の作物整列装置では、汲上搬送装置の搬送終端部の下方に整列搬送装置の搬送始端部を臨ませていることにより、作物がこの間隔部に落下すると、姿勢によっては詰まってしまうことがある。また、整列搬送装置の整列コンベアによる搬送途中で詰まることもある。
【０００７】
これにより、整列搬送装置における作物の搬送処理が停滞すると、汲上搬送装置から排出される作物が整列搬送装置に溜まっていき、作業者がこの詰まりを解消する必要が生じる。また、作物が詰まった状態が続くと、作物は整列搬送装置の収容量を超えるので、整列搬送装置の外に落下し、傷付いて商品価値が失われる作物が生じると共に、作業者が作物を拾い集める作業が必要になるという問題がある。
【０００８】
本発明は、従来のこのような課題を考慮し、作物の落下による回収等の人手による作業の発生を低減できると共に、作物の商品価値の低下を抑制できる作物整列装置を提供することを目的とする。
【課題を解決するための手段】
【０００９】
上記目的を達成するために、第１の本発明は、
作物を貯留する貯留部（１００）と、
前記貯留部（１００）に貯留された前記作物を上方へ搬送する上方搬送装置（２００）と、
前記上方搬送装置（２００）から供給されてくる前記作物を整列させながら搬送する整列搬送装置（３００）と、
前記上方搬送装置（２００）から供給されてきた前記作物の詰まり状態の有無を検知するための詰まり検知装置（４００）と、
前記詰まり検知装置（４００）による検知結果に基づいて、前記作物の詰まりを検知した場合、前記上方搬送装置（２００）の動作を停止又は搬送速度を低減させる制御装置（４５０）と、
を備えたことを特徴とする作物整列装置である。
【００１０】
また、第２の本発明は、
前記詰まり検知装置（４００）は、
前記作物と接触状態にあるときは所定位置に移動し、前記作物と非接触状態にあるときは元の位置に戻る移動板（４１０Ｌ、４１０Ｒ）と、
前記移動板（４１０Ｌ、４１０Ｒ）が前記所定位置に位置している間、前記作物との接触状態を検知し続ける接触状態検知スイッチ（４２０Ｌ、４２０Ｒ）と、を有し、
前記制御装置（４５０）は、前記接触状態検知スイッチ（４２０Ｌ、４２０Ｒ）による前記接触状態の検知が、第１所定時間継続したと判定した場合、前記上方搬送装置（２００）の動作を停止又は前記搬送速度を低減させる、ことを特徴とする上記第１の本発明の作物整列装置である。
【００１１】
また、第３の本発明は、
前記詰まり検知装置（４００）は、
前記作物と接触状態にあるときは所定位置に移動し、前記作物と非接触状態にあるときは元の位置に戻る移動板（４１０Ｌ、４１０Ｒ）と、
前記移動板（４１０Ｌ、４１０Ｒ）が前記元の位置に位置している間、前記作物との非接触状態を検知し続ける非接触状態検知スイッチと、を有し、
前記制御装置（４５０）は、前記非接触状態検知スイッチによる前記非接触状態の検知が行われていない時間が、第１所定時間継続したと判定した場合、前記上方搬送装置（２００）の動作を停止又は前記搬送速度を低減させる、ことを特徴とする上記第１の本発明の作物整列装置である。
【００１２】
また、第４の本発明は、
前記整列搬送装置（３００）は、
前記上方搬送装置（２００）から供給されてくる前記作物を所定の傾斜方向に沿って移動させる傾斜板（３０２）と、
前記傾斜板（３０２）により移動させられた前記作物を搬送する整列搬送コンベア（３０１）と、
前記傾斜板（３０２）を振動させるための振動装置（３２０Ａ）と、を有し、
前記制御装置（４５０）は、前記上方搬送装置（２００）の動作を停止又は前記搬送速度を低減させた後、前記振動装置（３２０Ａ）を作動させる、ことを特徴とする上記第２、又は第３の本発明の作物整列装置である。
【００１３】
また、第５の本発明は、
前記整列搬送装置（３００）は、
前記整列搬送コンベア（３０１）上に前記作物が一つずつ並ぶ様に余分な作物を前記整列搬送コンベア（３０１）上から除外するための除外部材（３１０）と、
前記整列搬送コンベア（３０１）上から除外された前記余分な作物を前記貯留部（１００）に戻すためのリターン機構（３９０）と、
少なくとも前記整列搬送コンベア（３０１）を振動させるための第２振動装置（３２０Ｂ）と、を有していることを特徴とする、上記第４の本発明の作物整列装置である。
【００１４】
また、第６の本発明は、
前記整列搬送装置（３００）は、
前記整列搬送コンベア（３０１）に沿って設けられた、前記作物の外部への落下を防止する側壁部材（３６０Ｌ、３６０Ｒ）を有し、
前記側壁部材（３６０Ｌ、３６０Ｒ）の一部の部位（３６３）は、前記整列搬送コンベア（３０１）から外側に向けて移動可能に構成されており、
前記一部の部位を移動させるための移動装置（３６６）と、
前記一部の部位が前記外側に向けて移動した後、前記移動した前記下流側に沿った部位の側に落下してくる前記作物を前記リターン機構（３９０）に案内する案内部（３０４）と、を備え、
前記制御装置（４５０）は、前記上方搬送装置（２００）の動きを停止又は搬送速度を低減させた際、前記移動装置（３６６）に対して、前記一部の部位を前記外側に向けて移動させるための指令を出すことを特徴とする、上記第５の本発明の作物整列装置である。
【００１５】
また、第７の本発明は、
前記リターン機構（３９０）は、
前記整列搬送コンベア（３０１）上から除外された前記余分な作物を回収する開口部（３２６）と、
前記開口部（３２６）に移動した前記余分な作物を前記整列搬送コンベア（３０１）の左右何れか一方側に案内する案内シュータ（３９２）と、
前記案内シュータ（３９２）により案内された前記余分な作物を前記貯留部（１００）に戻すリターンコンベア（３９３）と、を有し、
前記除外部材（３１０）は、前記開口部（３２６）の上流側において、前記余分な作物を前記開口部（３２６）に移動させる様に回動可能に構成されており、
前記制御装置（４５０）は、前記移動装置（３６６）に前記指令を出した後、前記接触状態検知スイッチ（４２０Ｌ、４２０Ｒ）による前記接触状態の検知時間又は前記非接触状態検知スイッチによる前記非接触状態の検知が行われていない時間が、第２所定時間継続したと判定した場合、前記除外部材（３１０）を回動させるための指令を出すことを特徴とする、上記第６の本発明の作物整列装置である。
【発明の効果】
【００１６】
第１の本発明によれば、詰まり検知装置（４００）を設けたことにより、上方搬送装置（２００）の動作を停止又は上方搬送装置（２００）の搬送速度を低減させることができ、上方搬送装置から供給される作物が整列搬送装置において滞留することや、整列搬送装置から溢れ出すことを低減できるので、溢れ出した作物を人手で回収する作業は減少する。
【００１７】
また、作物の溢れ出し等の減少により作物に傷が付きにくくなるので、作物の収量や商品価値の低下が改善される。
【００１８】
また、第２の本発明によれば、上記第１の本発明の効果に加えて、制御装置（４５０）は、接触状態検知スイッチ（４２０Ｌ、４２０Ｒ）による接触状態の検知が、第１所定時間継続したと判定した場合、上方搬送装置（２００）の動作を停止又は搬送速度を低減させることにより、整列搬送装置側における作物の詰まりの有無を的確に判定でき、搬送可能であるにもかかわらず作物が詰まっているとの誤判定をすることが防止される。
【００１９】
また、移動板が作物との接触で移動することにより、整列搬送装置に作物を案内するシュータとしての機能も発揮するので、作物の移動の停滞が防止される。
【００２０】
また、第３の本発明によれば、上記第１の本発明の効果に加えて、制御装置（４５０）は、非接触状態検知スイッチによる非接触状態の検知が行われていない時間が、第１所定時間継続したと判定した場合、上方搬送装置（２００）の動作を停止又は搬送速度を低減させることにより、整列搬送装置側における作物の詰まりの有無を的確に判定でき、搬送可能であるにもかかわらず詰まり検知部材が詰まりを検知することが防止される。
【００２１】
また、移動板が作物との接触で移動することにより、整列搬送装置に作物を案内するシュータとしての機能も発揮するので、作物の移動の停滞が防止される。
【００２２】
また、第４の本発明によれば、上記第２又は第３の本発明の効果に加えて、傾斜板を振動装置（３２０Ａ）で振動させることにより、整列搬送装置（３００）の傾斜板（３０２）周辺における作物の詰まりを解消して整列搬送コンベア（３０１）に移動させることができるので、作物が停滞し、整列搬送装置に作物が滞留することが防止され、人手で作物の停滞を解消する必要が省略される。
【００２３】
また、整列搬送装置から作物が溢れ出すことを防止できるので、作物が落下して傷付くことが防止される。
【００２４】
また、第５の本発明によれば、上記第４の本発明の効果に加えて、作物が一つずつ並ぶ様に余分な作物を整列搬送コンベア（３０１）上から除外する除外部材（３１０）を設けると共に、整列搬送コンベア（３０１）を振動させる第２振動装置（３２０Ｂ）を設けたことにより、除外部材（３１０）で除外された作物を塊にならないよう揺らしながらリターン機構（３９０）に移動させることができるので、作物が整列搬送コンベア（３０１）の途中で詰まって後続の作物の移動を妨げることが防止される。
【００２５】
また、第６の本発明によれば、上記第１乃至第５の本発明の何れか一つの本発明の効果に加えて、側壁部材の内、整列搬送コンベアの下流側に沿った部位を整列搬送コンベアから外側に向けて開くことができることにより、整列搬送コンベア上で作物が詰まった際、容易に詰まりを解消することができるので、詰まりの解消作業に要する時間と労力が軽減される。
【００２６】
また、上方搬送装置が停止又は搬送速度の低減がなされると、移動装置が、側壁部材の内、整列搬送コンベアの下流側に沿った部位を外側に向けて開くことにより、整列搬送コンベア上の作物の詰まりを自動的に解消することができるので、作業の無人化が図られる。
【００２７】
また、第７の本発明によれば、上記第６の本発明の効果に加えて、除外部材（３１０）が回動すると空間部が開くことにより、整列搬送コンベア上の作物の詰まりを自動的に解消することができるので、作業の無人化が図られる。
【図面の簡単な説明】
【００２８】
【図１】本発明の実施の形態の人参整列装置の概略左側面図
【図２】図１に示す人参整列装置の概略平面図
【図３】図２に示す人参整列装置を含む人参選別機の概略平面図
【図４】本実施の形態の汲上搬送装置の左右一対の汲上側壁部材の終端部近傍に取り付けられた人参詰まり検知装置の概略左側面図
【図５】図４のＹ1−Ｙ2−Ｙ3−Ｙ4−Ｙ5−Ｙ6断面矢視概略図
【図６】本実施の形態における整列搬送装置を下流側から上流側を見た部分斜視図
【発明を実施するための形態】
【００２９】
以下に、本発明の作物整列装置の一例としての人参整列装置について図面を参照しながら説明する。
【００３０】
なお、本実施の形態では、人参整列装置において人参の搬送方向を基準とし、下流側から上流側を見て、当該装置の中央部より右手側を右側、左手側を左側と称するものとする。
【００３１】
図１は、本実施の形態の人参整列装置１の概略左側面図であり、図２は、図１に示す人参整列装置１の概略平面図である。
【００３２】
本実施の形態の人参整列装置１は、図１、図２に示す様に、洗浄された人参を貯留する貯留部１００と、貯留部１００に貯留された人参を上方へ搬送する汲上搬送装置２００と、汲上搬送装置２００から供給されてくる人参を一本ずつ整列させながら下流側へ搬送する整列搬送装置３００と、を備えている。
【００３３】
なお、本実施の形態の人参整列装置１は、その下流側に人参選別搬送装置６００を配置することにより、人参選別機２を構成することが出来る（図３参照）。図３は、人参選別機２の概略平面図である。
【００３４】
人参選別機２によれば、人参整列装置１側の整列搬送装置３００により一本ずつ整列されて搬送されてくる人参は、人参選別搬送装置６００においてその重量に応じて選別される構成である。
【００３５】
本実施の形態では、人参整列装置１を中心に説明し、人参選別搬送装置６００については、最後に簡単に説明する。
【００３６】
なお、本実施の形態の貯留部１００は、本発明の貯留部の一例にあたる。また、本実施の形態の汲上搬送装置２００は、本発明の上方搬送装置の一例にあたり、本実施の形態の整列搬送装置３００は、本発明の整列搬送装置の一例にあたる。
【００３７】
まず、貯留部１００について、図１、図２を参照しながら説明する。
【００３８】
人参整列装置１を納屋等の部屋の床面上で移動可能に配置するための、下面側の四隅にキャスターと位置決め用突っ張り棒とを備えたメインフレーム１Ａの搬送方向を基準として上流側に、上面側が開放され、平面視で略矩形状の貯留部１００が配置されている。
【００３９】
貯留部１００の四方の側壁部の内、前端側と左右両側の側壁１０２ａ、１０２ｂは、それぞれの下部側が、貯留部１００の底部に近づく程その中央寄りに傾斜した傾斜姿勢を成している。
【００４０】
また、前端側の側壁１０２ａの内、傾斜姿勢を成す傾斜部１０２ａａは、通常の傾斜板構造（図１参照）に代えて、水抜き用簀の子構造５００（図２参照）に変更可能に構成されている。なお、水抜き用簀の子構造については、更に後述する。
【００４１】
次に、汲上搬送装置２００について、図１、図２を参照しながら説明する。
【００４２】
本実施の形態の汲上搬送装置２００では、図１、図２に示す様に、貯留部１００の内側下部に左右一対の側壁部材２０３、２０３が取り付けられていると共に、当該左右一対の側壁部材２０３、２０３の後端部に左右一対の汲上側壁部材２０４、２０４が、下流側に向けて上り勾配を成す様に取り付けられている。
【００４３】
また、左右一対の汲上側壁部材２０４、２０４の後端部左右間には、左右一対の駆動スプロケット２０５Ｌ、２０５Ｒが左右両端に固定された駆動シャフト２０６が回動自在に取り付けられている。また、左右一対の側壁部材２０３、２０３と、左右一対の汲上側壁部材２０４、２０４との境目に、左右一対のテンションスプロケット２０８、２０８が左右両端に固定された中間シャフト２０９が回動自在に取り付けられている。また、左右一対の側壁部材２０３、２０３の前端部左右間には、左右一対の従動スプロケット２１０、２１０が左右両端に固定された従動シャフト２１１が回動自在に取り付けられている。
【００４４】
また、左右一対の駆動スプロケット２０５、２０５と、左右一対のテンションスプロケット２０８、２０８と、左右一対の従動スプロケット２１０、２１０とに、左右一対の伝動チェーン２１２、２１２が無端状に巻き掛けられている。また、左右一対の伝動チェーン２１２、２１２の左右間には、人参を搬送方向下流側へ搬送するための複数の搬送ローラ２１４が、等間隔で回動自在に取り付けられている。また、左右一対の伝動チェーン２１２、２１２の左右間には、複数の搬送ローラ２１４によって搬送される人参を下方から支えるステンレス製の人参搬送用床板部材２１５（図２参照）が、従動シャフト２１１の上方を通り中間シャフト２０９の上方を経て駆動シャフト２０６の上方を通って汲上搬送装置２００の終端部に至るまでの間において設けられている。
【００４５】
また、メインフレーム１Ａの、側面視で前後方向の略中央部で且つ上方に支持台２１７が取り付けられており、当該支持台２１７の上部には、上述した左側の駆動スプロケット２０５Ｌ（図２参照）に駆動力を供給するための汲上駆動モータ２１８が取り付けられている。
【００４６】
また、左右一対の汲上側壁部材２０４、２０４の内、左側の汲上側壁部材２０４に汲上伝動ケース２１９が取り付けられており、当該汲上伝動ケース２１９の内側上部には、出力スプロケット２２０が駆動シャフト２０６の左端部に固定されており、汲上伝動ケース２１９の内側下部には、入力スプロケット２２１が汲上駆動モータ２１８から突き出した駆動軸に固定されており、且つ、出力スプロケット２２０と入力スプロケット２２１との間に汲上伝動チェーン２２２が無端状に巻き掛けられている。
【００４７】
上記構成によれば、貯留部１００に貯留されている人参は、図１に示す様に、汲上駆動モータ２１８からの駆動力を得て左側面視で時計回りに回動する左右一対の伝動チェーン２１２、２１２の左右間に連結された複数の搬送ローラ２１４が、上流側において貯留部１００内を通過すると共に隣接する搬送ローラ２１４間に人参を取り込んで、人参搬送用床板部材２１５に沿って下流側に向けて移動することで、人参搬送用床板部材２１５の終端部に達した人参は、そのまま落下することで整列搬送装置３００へ供給される。
【００４８】
次に、主として図４、図５を用いて、本実施の形態の汲上搬送装置２００の左右一対の汲上側壁部材２０４、２０４の終端部近傍に取り付けられた人参詰まり検知装置４００と、当該人参詰まり検知装置４００の検知結果に基づいて、左側の汲上側壁部材２０４に取り付けられた制御盤４５０に内蔵された制御装置（図示省略）について説明する。
【００４９】
図４は、本実施の形態の汲上搬送装置２００の左右一対の汲上側壁部材２０４、２０４の終端部近傍に取り付けられた人参詰まり検知装置４００の概略左側面図であり、図５は、図４のＹ1−Ｙ2−Ｙ3−Ｙ4−Ｙ5−Ｙ6断面矢視概略図である。
【００５０】
人参詰まり検知装置４００は、図４、図５に示す様に、左右一対のセンサ板４１０Ｌ、４１０Ｒと、左右一対のセンサスイッチ４２０Ｌ、４２０Ｒとを有している。
【００５１】
左右一対のセンサ板４１０Ｌ、４１０Ｒのそれぞれは、図５に示す様に、汲上搬送部底板２０４ａの上端部の左右幅の中央から左側と右側において、左右一対の回動軸４１１、４１１を介して、それぞれ個別に回動可能に配置されており、背面視で略逆三角形状を成した板状部材である。
【００５２】
なお、汲上搬送部底板２０４ａは、その両端部が、汲上搬送装置２００の左右一対の汲上側壁部材２０４、２０４の下面に固定され、左右一対の汲上側壁部材２０４、２０４間の下方を覆う様に配置された長方形の板状部材である。
【００５３】
左右一対のセンサ板４１０Ｌ、４１０Ｒと、左右一対のセンサスイッチ４２０Ｌ、４２０Ｒは、後述する左右二連式の整列搬送コンベア３０１を有する整列搬送装置３００に対応して、左右両側にそれぞれ個別に配置されている。
【００５４】
また、左右一対のセンサ板４１０Ｌ、４１０Ｒの表面、即ち、落下してくる人参が当たる側の面は、滑りの良い平滑面とし、且つ、クッション性を有するゴム製や塩ビ樹脂製の弾性部材で構成されている。これにより、人参搬送用床板部材２１５の終端部から落下してきた人参が、左右一対のセンサ板４１０Ｌ、４１０Ｒの表面に当たっても、折損することが防止できる。
【００５５】
また、人参搬送用床板部材２１５の終端部から落下してきた人参は、左右一対のセンサ板４１０Ｌ、４１０Ｒの表面に当たりながら整列搬送装置３００へ供給されるので、左右一対のセンサ板４１０Ｌ、４１０Ｒはシュータの役割も有している。
【００５６】
また、左右一対のセンサ板４１０Ｌ、４１０Ｒのそれぞれの中央部から斜め下方に至る一辺４１０Ｌａ、４１０Ｒａは、後述する整列搬送装置３００の振り分け板部材３０２の傾斜面に沿い、且つ、左右一対のセンサ板４１０Ｌ、４１０Ｒのそれぞれの外側部から斜め下方に至る他辺４１０Ｌｂ、４１０Ｒｂは、後述する整列搬送装置３００の左右の整列側壁部材３６０Ｌ、３６０Ｒの傾斜した内壁面に沿う様に形成されている。
【００５７】
また、左右一対のセンサ板４１０Ｌ、４１０Ｒの下端部４１０Ｌｃ、４１０Ｒｃは、後述する左右二連式の第１整列搬送コンベア３３７の各ベルトによる凹凸に概ね対応する様に中央部が下方に突き出した形状を成している。
【００５８】
また、左右一対の回動軸４１１、４１１には、左右一対のセンサ板用トルクスプリング４１２Ｌ、４１２Ｒが配置されている。そして、当該センサ板用トルクスプリング４１２Ｌ、４１２Ｒのそれぞれの一端部４１２Ｌａ、４１２Ｒａは、汲上搬送部底板２０４ａに固定され、且つ、それぞれの他端部４１２Ｌｂ、４１２Ｒｂは、左右一対のセンサ板４１０Ｌ、４１０Ｒの裏面、即ち、落下してくる人参が当たる側の面とは反対側の面に固定されている。
【００５９】
これにより、左右一対のセンサ板４１０Ｌ、４１０Ｒには、左右一対のセンサスイッチ４２０Ｌ、４２０Ｒから離れる方向に回動させようとする回転トルクが常時作用しており、左右一対のセンサ板４１０Ｌ、４１０Ｒの何れの側に対しても、人参が接触していない状態の場合、左右一対のセンサ板用トルクスプリング４１２Ｌ、４１２Ｒの回転トルクの作用により、左右一対のセンサ板４１０Ｌ、４１０Ｒは、左右一対のセンサスイッチ４２０Ｌ、４２０Ｒから離れた位置にそれぞれ位置している（図４参照）。
【００６０】
また、左右一対のセンサスイッチ４２０Ｌ、４２０Ｒは、左右一対のセンサ板４１０Ｌ、４１０Ｒに対して人参が接触していない状態において、左右一対のセンサ板４１０Ｌ、４１０Ｒの裏面から所定の距離を隔てた位置に配置される様に、センサスイッチ取付板４２１を介して、汲上搬送部底板２０４ａに固定されている。
【００６１】
また、左右一対のセンサスイッチ４２０Ｌ、４２０Ｒのそれぞれには、接触状態検知ピン４２２が設けられている。人参が、左右一対のセンサ板４１０Ｌ、４１０Ｒの何れか一方又は双方に接触することにより、人参が接触したセンサ板４１０Ｌ（又は４１０Ｒ）が左側面視で時計回りに回動し（図４参照）、対応する側の接触状態検知ピン４２２を押圧することで、左右一対のセンサスイッチ４２０Ｌ、４２０Ｒのそれぞれが、人参とセンサ板４１０Ｌ、４１０Ｒとの接触状態を個別に検知することが出来る構成である。
【００６２】
即ち、左右一対のセンサスイッチ４２０Ｌ、４２０Ｒのそれぞれは、人参が、左右一対のセンサ板４１０Ｌ、４１０Ｒの何れか一方又は双方に接触し、対応する側の接触状態検知ピン４２２を押圧し続けている間、人参とセンサ板４１０Ｌ、４１０Ｒとの接触状態を検知し続けて、その接触状態を知らせるためのＯＮ信号を、制御盤４５０に内蔵された制御装置に送信し続ける構成である。
【００６３】
これにより、左右一対のセンサ板４１０Ｌ、４１０Ｒの何れか一方、又は双方に人参が接触している状態の場合、人参の重量等により、左右一対のセンサ板４１０Ｌ、４１０Ｒは、左右一対のセンサスイッチ４２０Ｌ、４２０Ｒに近づく方向に回動し、接触状態検知ピン４２２が押圧され、押圧された側のセンサスイッチ４２０Ｌ、４２０ＲからＯＮ信号が出力され続ける。また、左右一対のセンサ板４１０Ｌ、４１０Ｒは、人参が接触しなくなるとセンサ板用トルクスプリング４１２Ｌ、４１２Ｒの回転トルクの作用により元の位置に戻り、接触状態検知ピン４２２への押圧が解除され、押圧が解除された側のセンサスイッチ４２０Ｌ、４２０ＲからＯＮ信号の出力は停止される。
【００６４】
また、制御盤４５０に内蔵された制御装置は、左右一対のセンサスイッチ４２０Ｌ、４２０Ｒの少なくとも何れか一方から出力されてくるＯＮ信号が、予め設定されている第１所定時間継続していると判定した場合、汲上駆動モータ２１８への電源供給を停止し、汲上搬送装置２００による人参の搬送動作を停止させる。
【００６５】
なお、前記第１所定時間とは、一例として１〜１．５秒、１．５〜２．５秒である。上記の時間とすると、詰まりによる影響が小さいうちに汲上搬送装置２００から整列搬送装置３００への人参の流入が停止するので、人参が整列搬送装置３００の外に溢れ出すことや、人参同士がぶつかり合って破損することが防止される。なお、第１所定時間は、例示した時間を組み合わせて、１〜２．５秒の範囲としてもよい。さらに、時間の下限及び上限を、上記の数値の範囲外に設定可能としてもよい。また、本発明の第１所定時間は、上記の例示に限定されるものではない。
【００６６】
なお、本実施の形態の人参詰まり検知装置４００は、本発明の詰まり検知装置の一例にあたり、本実施の形態の制御盤４５０に内蔵された制御装置は、本発明の制御装置の一例にあたる。また、本実施の形態の左右一対のセンサ板４１０Ｌ、４１０Ｒは、本発明の移動板の一例にあたり、本実施の形態の左右一対のセンサスイッチ４２０Ｌ、４２０Ｒは、本発明の接触状態検知スイッチの一例にあたる。
【００６７】
上記構成によれば、制御盤４５０に内蔵された制御装置は、左右一対のセンサスイッチ４２０Ｌ、４２０Ｒの少なくとも何れか一方から出力されてくるＯＮ信号が、上記の第１所定時間継続して入力された、と判定した場合には、左右二連式の整列搬送装置３００の何れかの場所で人参が詰まっているものと判定して、汲上搬送装置２００による人参の搬送動作を停止させることが出来るので、汲上搬送装置２００から供給される人参が整列搬送装置３００において滞留することや、整列搬送装置３００から溢れ出すことを防止できる。また、溢れ出した人参を人手で回収する作業は必要がない。
【００６８】
また、人参の溢れ出しが防止できるので、人参の収量や商品価値の低下が防止される。
【００６９】
また、ＯＮ信号が、予め設定されている第１所定時間継続して入力されたと判定した場合に限り、汲上搬送装置２００による人参の搬送動作を停止させる構成としたことにより、制御盤４５０に内蔵された制御装置は、整列搬送装置側における人参の詰まりの有無を的確に判定でき、汲上搬送装置２００から正常に落下してきた人参が、左右一対のセンサ板４１０Ｌ、４１０Ｒに当たり、左右一対のセンサスイッチ４２０Ｌ、４２０Ｒの何れか一方または双方の接触状態検知ピン４２２が押圧されてＯＮ信号が出力されたとしても、そのＯＮ信号が継続して入力される時間が第１所定時間未満であれば、制御盤４５０に内蔵された制御装置が、人参が詰まっていると誤判定することは無い。
【００７０】
なお、第１所定時間は、制御盤４５０に設けられているタイマーダイヤル（図示省略）を調節することにより、変更可能に構成されている。
【００７１】
また、上記タイマーダイヤルは、ユーザが触れることが出来ない様に制御盤４５０の裏側に配置されている。
【００７２】
また、制御盤４５０に内蔵された制御装置が、上述した様に汲上駆動モータ２１８への電源供給を停止した場合、汲上搬送装置２００による人参の搬送動作が停止されたことを作業者に知らせるために、当該制御装置は、どこからでも良く見える位置である、左側の汲上側壁部材２０４の頂上に設けられたランプ４６０を点灯させる構成である。
【００７３】
次に、図１、図２、図６を用いて、本実施の形態の整列搬送装置３００について説明する。
【００７４】
図６は、本実施の形態の整列搬送装置３００を下流側から上流側を見た部分斜視図である。
【００７５】
なお、図６では、第２振動装置３２０Ｂの取付位置に関しては、後述する左右の整列側壁部材３６０Ｌ、３６０Ｒの内面側に移動可能に取り付けた構成例（図５参照）ではなく、振り分け板部材３０２の背面の内側で、且つ除外部材３１０の搬送方向上手側付近に取り付けた場合の構成例を変形例として示している。この変形例については、更に後述する。
【００７６】
本実施の形態の整列搬送装置３００は、図１に示す様に、メインフレーム１Ａの後部上方に取り付けられた整列搬送フレーム１２３の上部に固定されていると共に、その上流端側が、上述した汲上搬送装置２００の人参搬送用床板部材２１５の終端部の下方に位置する様に配置されている。
【００７７】
整列搬送装置３００は、（１）汲上搬送装置２００から供給されてくる人参を搬送方向に沿って一本ずつ並ぶ様に搬送する二連式の整列搬送コンベア３０１（図４参照）と、（２）整列搬送コンベア３０１に沿って左右両側に設けられ、搬送される人参の外部への落下を防止すると共に二連式の整列搬送コンベア３０１側の壁面は、整列搬送コンベア３０１上に人参が整列しやすくなる様に傾斜面を成している左右の整列側壁部材３６０Ｌ、３６０Ｒ（図５参照）と、（３）人参が整列搬送コンベア３０１上に搬送方向に沿って一本ずつ並ぶ様に人参の姿勢を整えると共に整列搬送コンベア３０１上に整列しない余分な人参を整列搬送コンベア３０１上から除外し後述する開口部３２６に落下させる第１の役割と、人参が詰まっていると判定し後述する詰まり状態解消動作を実施してもその詰まりが解消していないと制御装置が判定したときに、その詰まりを解消するために、人参を後述する開口部３２６に落下させるべく制御装置からの指令により回動させられる第２の役割と、を有する左右一対の除外部材３１０、３１０（図４、図５参照）と、（４）整列搬送コンベア３０１上で整列しない余分な人参を上述した貯留部１００に戻すためのリターン機構３９０（図１参照）と、を備えている。
【００７８】
また、二連式の整列搬送コンベア３０１は、後述する左右一対の第１整列搬送コンベア３３７、３３７と、後述する左右一対の第２整列搬送コンベア３４８、３４８とを連結することにより、人参の搬送経路を形成している（図１、図２、図４参照）。
【００７９】
更に、整列搬送装置３００は、（１）汲上搬送装置２００から供給されてくる人参を左右一対の第１整列搬送コンベア３３７、３３７の左右二連の何れか一方に振り分ける山型の傾斜面３０２ａを有する振り分け板部材３０２（図１、図５、図６参照）と、（２）振り分け板部材３０２の左右の傾斜面３０２ａ（図５参照）をそれぞれ振動させことで人参の詰まり状態を解消するための、振り分け板部材３０２の左右の傾斜面３０２ａの内壁面に例えば強力磁石を用いたり或いは長孔を設けて当該長孔に対してボルトナット締め等により移動可能に取り付けられた複数の第１振動装置３２０Ａ（図２、図５参照）と、（３）左右一対の第２整列搬送コンベア３４８、３４８を振動させるための、左右の整列側壁部材３６０Ｌ、３６０Ｒの内側の空間部で、且つ第２整列搬送コンベア３４８，３４８の搬送始端部の側方に、第１振動装置３２０Ａと同様に移動可能に取り付けられた左右一対の第２振動装置３２０Ｂ（図４、図５参照）と、（４）振り分け板部材３０２の下流側に連接し、左右一対の第２整列搬送コンベア３４８、３４８の間に配置されると共に、左右一対の第２整列搬送コンベア３４８、３４８に沿って後述する左右一対の開口部３２６、３２６が形成された仕切り板部材３０３と、（５）人参の長辺（長手方向の部分）が第２整列搬送コンベア３４８の搬送方向と同じになる様にその姿勢を保つために、仕切り板部材３０３の表面であって、第２整列搬送コンベア３４８の終端部付近に配置された左右一対のガイドプレート３０５、３０５と、を備えている。左右一対のガイドプレート３０５、３０５は、上述した振り分け板部材３０２の傾斜面（図５参照）と概ね同じ向きに傾斜している。
【００８０】
なお、第１振動装置３２０Ａ、及び第２振動装置３２０Ｂは、いずれも、図５に示す様に、モータ３２１の回動軸３２２に略楕円形状のカム３２３が固定され、当該カム３２３の一方のカム先端部３２３ａが振り分け板部材３０２の内壁面、及び左右の整列側壁部材３６０Ｌ、３６０Ｒの内壁面に間欠的に当接することにより振動を発生させる構成である。
【００８１】
また、汲上搬送装置２００から人参が振り分け板部材３０２に落下する位置、即ち振り分け板部材３０２の前部に３〜５ｍｍ程度の厚みのクッション部材３２７（図１参照）が山型形状に沿わせて敷設されている。これにより、落下の衝撃で人参が傷付くことを防止できるので、人参の商品価値が向上する。
【００８２】
次に、左右の整列側壁部材３６０Ｌ、３６０Ｒについて、図６を用いて更に説明する。
【００８３】
右側の整列側壁部材３６０Ｒは、整列搬送コンベア３０１に沿って右側に設けられると共に、右側の第１整列搬送コンベア３３７の終端部手前（下流側）から右側の第２整列搬送コンベア３４８の始端部（上流側）に至る間において壁面が開放された開放部３６１を有する整列側壁部材本体３６２と、その開放部３６１を開閉するために回動可能に取り付けられた開閉側壁部３６３と、を備えている。
【００８４】
開閉側壁部３６３は、図６に示す様に、その傾斜面３６３ａの上流側端部においてヒンジ部材３６４により、整列側壁部材本体３６２の傾斜面に対して回動可能に取り付けられていると共に、その傾斜面３６３ａと反対側の壁面、即ち、外側面の下流側端部において、遮蔽板３６５がトルクスプリング（図示省略）を介して回動軸３６５ａに回動可能に取り付けられている。
【００８５】
また、開閉側壁部３６３の傾斜面３６３ａの表面には、人参が引っかからない様にするために、平滑な軟質部材（例えば、ゴム板や塩ビ樹脂製板、或いはゴムシートや塩ビ樹脂製シート）が貼り付けられている。
【００８６】
また、ヒンジ部材３６４には、ヒンジ用トルクスプリング（図示省略）が設けられており、開閉側壁部３６３が、開放部３６１を閉じる方向に回動する様に回転トルクが常時作用する構成である。
【００８７】
上述した通り、開閉側壁部３６３は、図６に示す様に、その傾斜面３６３ａの上流側端部においてヒンジ部材３６４により開閉可能に構成されているので、開かれたときの傾斜面３６３ａの開き度合が、下流側に向かうほど第１整列搬送コンベア３３７からの水平距離が広くなる。これにより、詰まった人参がスムーズに開放部３６１から外部に排出できる。
【００８８】
なお、開閉側壁部３６３の傾斜面３６３ａの、第１整列搬送コンベア３３７に沿った部分の寸法Ａ（図６参照）は、標準的な人参（Ｌサイズの人参）の約半分の長さ、即ち、概ね９０ｍｍ〜１００ｍｍに設定されている。また、開閉側壁部３６３の傾斜面３６３ａの横方向に動く寸法Ｂ（図６参照）は、標準的な人参（Ｌサイズの人参）の直径、即ち、概ね４０ｍｍ〜５０ｍｍに設定されている。これにより、詰まった人参を確実に開放部３６１から外部に排出でき、詰まりを解消できる。
【００８９】
また、整列側壁部材本体３６２の内部には、ヒンジ部材３６４の近傍において、開閉側壁部３６３を回動させるための開閉側壁部回動用ソレノイド３６６が取り付けられている。
【００９０】
制御盤４５０に内蔵された制御装置からの指令により閉側壁部回動用ソレノイド３６６が作動すると、開閉側壁部３６３は、上述した回転トルクに対抗して、ヒンジ部材３６４を回動中心としてその下流側ほど第１整列搬送コンベア３３７から離れる様に外側に向けて回動し、開放部３６１が開放されると共に、その開放部３６１から人参が下流側に向けて外部に飛び出した際に拡張用案内シュータ３０４による回収が可能な範囲を超えて飛び出すのを規制するために、遮蔽板３６５が回動軸３６５ａを中心として、トルクスプリングの回転トルクの作用により平面視で時計回りに回動し、遮蔽板３６５の先端縁部３６５ｂが、整列側壁部材本体３６２の開放部３６１より下流側の外側面に接触する構成である。
【００９１】
これにより、開閉側壁部３６３は、開放部３６１に位置することでその開放部３６１を閉じているときは、整列側壁部材３６０Ｒの傾斜面の一部を成し、また、制御盤４５０に内蔵された制御装置からの指令により閉側壁部回動用ソレノイド３６６が作動して、開閉側壁部３６３がヒンジ部材３６４を回動中心として外側へ移動し開放部３６１を開くと共に、遮蔽板３６５の先端縁部３６５ｂが、整列側壁部材本体３６２の開放部３６１より下流側の外側面に接触する様に回動したときには、整列側壁部材３６０Ｒの傾斜面の一部が外側に向けて拡張される構成である。
【００９２】
また、開閉側壁部３６３のヒンジ部材３６４を回動中心とした外側への移動により、整列側壁部材３６０Ｒの傾斜面の一部が外側に向けて拡張された場合、開放部３６１から飛び出してくる人参は、開閉側壁部３６３の傾斜面や遮蔽板３６５に当接して下方に落下するが、その落下してくる人参を回収して、後述するリターン機構３９０に案内する拡張用案内シュータ３０４が、開閉側壁部３６３及び遮蔽板３６５の下方に設けられている。
【００９３】
なお、拡張用案内シュータ３０４は、後述する案内シュータに連結されている。
【００９４】
また、左側の整列側壁部材３６０Ｌについても、上述した右側の整列側壁部材３６０Ｒの場合と同様、開放部３６１、整列側壁部材本体３６２、開閉側壁部３６３、及び開閉側壁部回動用ソレノイド３６６を備えるが、遮蔽板３６５を有していない点で相違する。
【００９５】
また、左側の整列側壁部材３６０Ｌの場合、開放部３６１の外側下方には、後述するリターンコンベアが設けられているので、上述した拡張用案内シュータ３０４を設ける必要はない。
【００９６】
次に、左右一対の除外部材３１０、３１０について、図６を用いて更に説明する。
【００９７】
仕切り板部材３０３に形成された左右一対の開口部３２６、３２６は、図６に示す様に、それぞれの上流側の開口縁部が、振り分け板部材３０２の背面３０２ｂの立ち上がり部分にまで到達している。
【００９８】
そして、左右一対の除外部材３１０、３１０は、図６に示す様に、左右一対の開口部３２６、３２６の内の上流側の開口部分を開閉するために、仕切り板部材３０３に対して回動可能に取り付けられていると共に、仕切り板部材３０３の表面から上方に、背面視で略台形状に突き出した形状を成している。左右一対の除外部材３１０、３１０の回動は、仕切り板部材３０３の下面側に設けられた左右一対の除外部材回動用ソレノイド（図示省略）と、除外部材回動軸３１２に設けられた左右一対の除外部材回動用トルクスプリング（図示省略）とにより行われる構成である。
【００９９】
即ち、除外部材回動用トルクスプリングは、除外部材３１０が上記開口部分を閉じる方向に回転トルクを常時発生させる構成であり、除外部材回動用ソレノイドは、制御盤４５０に内蔵された制御装置からの指令により通電され、除外部材回動用トルクスプリングの回転トルクに対抗して、除外部材３１０が上記開口部分を開く方向に回動させる構成である。この構成は、上述した第２の役割に対応するものである。
【０１００】
また、左右一対の除外部材３１０、３１０の背面視で略台形状に突き出した部分は、振り分け板部材３０２の傾斜面３０２ａと同じ傾斜のテーパ部３１１を有すると共に、その略台形状に突き出した部分の前側外壁面は、除外部材３１０、３１０が開口部３２６、３２６の上流側の開口部分を閉じているときは、振り分け板部材３０２の背面３０２ｂに接触している。この構成は、上述した第１の役割に対応するものである。
【０１０１】
ここで、左右一対の除外部材３１０、３１０が、上述したテーパ部３１１を有する意味について更に説明する。
【０１０２】
即ち、振り分け板部材３０２の傾斜面３０２ａに沿って下流側に向けて移動してきた人参は、その傾斜面３０２ａが途切れたところから姿勢やバランスを崩す可能性があるが、テーパ部３１１により案内された人参は搬送姿勢が正されて詰まりが防止されると共に、安易に開口部３２６に落下することなく、整列搬送コンベア３０１上に並び易くなる。これにより、安易に開口部３２６に落下する人参を低減することが出来るので、下流側に配置された人参選別搬送装置６００で選別対象となる人参が減少し選別作業時間が長くなることを防止出来る。
【０１０３】
なお、テーパ部３１１により案内され、整列搬送コンベア３０１上に一列に並ばなかった人参は、左右一対の除外部材３１０、３１０の上面を伝って開口部３２６に落下し、後述する案内シュータを経由して貯留部１００に戻される。
【０１０４】
また、左右一対の除外部材３１０、３１０を直方体形状とした場合、直角の角部に人参が当たった場合に傷が付きやすいが、整列搬送コンベア３０１側の面にテーパ部３１１を設けたことにより、人参が当たっても傷が付きにくい。
【０１０５】
また、上記の第２の役割のところで説明した除外部材３１０が上記開口部分を閉じる方向に回動するときに、除外部材３１０の上端エッジ部が開口部３２６の縁部に引っかかって、閉止位置に戻れなくなることが防止できる。
【０１０６】
次に、リターン機構３９０について、図１、図２、図６を用いて更に説明する。
【０１０７】
リターン機構３９０は、図１、図２、図６に示す様に、（１）整列搬送コンベア３０１上から除外された余分な人参を回収するための、仕切り板部材３０３の左右両側に設けられた平面視で略長方形状の左右一対の開口部３２６、３２６と、（２）左右一対の開口部３２６、３２６に移動した人参、或いは、上述した拡張用案内シュータ３０４に移動した人参を、左右二連式の整列搬送コンベア３０１の下方に案内し、左側の整列側壁部材３６０Ｌの外壁部に設けられた排出口３９１から外部に排出する案内シュータ３９２と、（３）案内シュータ３９２から排出されてきた人参を貯留部１００に戻すためのリターンコンベア３９３と、を備えている。なお、リターンコンベア３９３は、駆動モータ（図示省略）により駆動する。
【０１０８】
ところで、本実施の形態の振り分け板部材３０２は、本発明の傾斜板の一例にあたる。また、本実施の形態の整列搬送コンベア３０１は、本発明の整列搬送コンベアの一例にあたる。また、本実施の形態の第１振動装置３２０Ａは、本発明の振動装置の一例にあたり、本実施の形態の第２振動装置３２０Ｂは、本発明の第２振動装置の一例にあたる。
【０１０９】
また、本実施の形態の左右一対の除外部材３１０、３１０は、本発明の除外部材の一例にあたる。また、本実施の形態のリターン機構３９０は、本発明のリターン機構の一例にあたる。また、本実施の形態の左右の整列側壁部材３６０Ｌ、３６０Ｒは、本発明の側壁部材の一例にあたる。また、本実施の形態の左右の開閉側壁部３６３、３６３は、本発明の側壁部材の一部の部位の一例にあたる。
【０１１０】
また、本実施の形態の左右の開閉側壁部回動用ソレノイド３６６、３６６は、本発明の移動装置の一例にあたる。また、本実施の形態の拡張用案内シュータ３０４は、本発明の案内部の一例にあたる。また、本実施の形態の左右一対の開口部３２６、３２６は、本発明の開口部にあたる。また、本実施の形態の案内シュータ３９２は、本発明の案内シュータの一例にあたり、本実施の形態のリターンコンベア３９３は、本発明のリターンコンベアの一例にあたる。
【０１１１】
次に、本実施の形態の汲上搬送装置２００、整列搬送装置３００、人参詰まり検知装置４００、及び制御盤４５０に内蔵された制御装置による詰まり状態解消動作を中心に説明する。
【０１１２】
汲上搬送装置２００（図１参照）は汲上駆動モータ２１８の駆動力を利用して、貯留部１００に貯留されている人参を、隣接する搬送ローラ２１４の間に載せて後方斜め上方に向けて搬送し、人参搬送用床板部材２１５（図４参照）の終端部から落下させて整列搬送装置３００へ供給する。
【０１１３】
整列搬送装置３００へ落下してきた人参は、振り分け板部材３０２の山型の傾斜面３０２ａにより、左右一対の第１整列搬送コンベア３３７、３３７の左右二連の何れか一方に振り分けられる。
【０１１４】
また、人参が整列搬送装置３００へ落下してくるとき、左右一対のセンサ板４１０Ｌ、４１０Ｒ（図４、図５参照）のどちらかに当接することにより、左右一対のセンサ板４１０Ｌ、４１０Ｒの内、人参が当接した側のセンサ板４１０Ｒ（又は４１０Ｌ）が、回動軸４１１を中心にして、左側面視で、時計回りに回動し（図４参照）、それに対応する側のセンサスイッチ４２０Ｒ（又は４２０Ｌ）の接触状態検知ピン４２２が押圧され、制御盤４５０に内蔵された制御装置にＯＮ信号が送信される。
【０１１５】
制御装置は、ＯＮ信号が送信されてくる度に、そのＯＮ信号の継続時間をカウントし、そのカウント時間が、予め設定されている第１所定時間未満であると判定した場合は、汲上駆動モータ２１８への電源供給を維持し、汲上搬送装置２００による人参の搬送動作をそのまま続ける。
【０１１６】
一方、左右一対のセンサスイッチ４２０Ｌ、４２０Ｒの少なくとも何れか一方から送信されてくるＯＮ信号が上記の第１所定時間に亘って継続されたと制御装置が判定した場合は、制御装置は、整列搬送装置３００側で人参が詰まった状態が発生していると判定し、汲上駆動モータ２１８への電源供給を停止し、汲上搬送装置２００による人参の搬送動作を停止させると共に、詰まり状態を検知したセンサスイッチ４２０Ｒ（又は４２０Ｌ）に対応する側に配置されている第１振動装置３２０Ａ及び第２振動装置３２０Ｂ（図５参照）を駆動させることで、振り分け板部材３０２の対応する側の傾斜面３０２ａを振動させ、且つ、左右の整列側壁部材３６０Ｌ、３６０Ｒの対応する側の整列側壁部材３６０Ｒ（又は３６０Ｌ）の内部を打撃して整列搬送コンベア３０１を振動させ、詰まり状態の解消を促進させる。
【０１１７】
更に、制御装置は、汲上駆動モータ２１８への電源供給を停止すると同時に、詰まり状態を検知したセンサスイッチ４２０Ｒ（又は４２０Ｌ）に対応する側に配置されている例えば右側の閉側壁部回動用ソレノイド３６６に対して、作動指令を出力する。
【０１１８】
これにより、例えば右側の開閉側壁部３６３は、上述した回転トルクに対抗して、ヒンジ部材３６４を回動中心として外側に向けて回動し、右側の開放部３６１が開放されることにより、詰まり状態にある人参がその開放部３６１から外部に排出され、詰まり状態の解消を促進させる（図６参照）。
【０１１９】
なお、右側の開放部３６１から外部に排出された人参は、拡張用案内シュータ３０４により回収され、底面の傾斜を利用して、案内シュータ３９２を経由して排出口３９１からリターンコンベア３９３へ送られて、貯留部１００に戻る（図１、図６参照）。
【０１２０】
なお、例えば左側の閉側壁部回動用ソレノイド３６６に対して、制御装置が作動指令を出力した場合、詰まり状態にある人参は、左側の開放部３６１から外部に排出され、そのまま、リターンコンベア３９３上に落下し、貯留部１００に戻される（図１、図６参照）。
【０１２１】
更にまた、制御装置は、電源供給を停止すると同時にランプ４６０を点灯させて、汲上搬送装置２００による人参の搬送動作が停止されたことを作業者に知らせる。
【０１２２】
汲上駆動モータ２１８への電源供給が停止され、汲上搬送装置２００による人参の搬送動作が停止している間、整列搬送装置３００による人参の搬送動作は継続しており、上述した傾斜面３０２ａ及び整列側壁部材３６０Ｒ（又は３６０Ｌ）の振動も継続しており、且つ、開閉側壁部３６３が開いており、人参選別搬送装置６００による選別動作も引き続き行われている。
【０１２３】
これにより、整列搬送装置３００側における人参の詰まり状態が解消した場合、人参はセンサ板４１０Ｒ（又は、４１０Ｌ）に接触しなくなるので、制御装置にそれまで送信され続けていたＯＮ信号は停止する。これにより、制御装置は、人参の詰まり状態が解消したと判定し、汲上駆動モータ２１８への電源供給を開始し、汲上搬送装置２００による人参の搬送動作を再開すると共に、第１振動装置３２０Ａ、第２振動装置３２０Ｂ、及び閉側壁部回動用ソレノイド３６６への電源供給を停止する。
【０１２４】
これにより、汲上搬送装置２００から供給される人参が整列搬送装置３００において滞留することや、整列搬送装置３００から溢れ出すことを防止できる。また、溢れ出した人参を人手で回収する作業は必要がなく、作業の無人化が図れる。
次に、上述した様に制御装置からの指令が出された後、即ち、汲上駆動モータ２１８への電源供給が停止されることで汲上搬送装置２００による人参の搬送動作が停止し、且つ、閉側壁部回動用ソレノイド３６６への通電がなされることで開閉側壁部３６３が外側に向けて回動する等した後、第２所定時間経過しても整列搬送装置３００側における人参の詰まり状態が解消しなかった場合について説明する。
【０１２５】
制御装置は、左右一対のセンサスイッチ４２０Ｌ、４２０Ｒの少なくとも何れか一方から送信されてくるＯＮ信号が上述した第１所定時間継続して入力された、と判定した後、更に第２所定時間継続して入力された、と判定した場合、上述した各種の人参の詰まり状態解消動作を実施しても、まだ、人参の詰まり状態が解消してないと判定し、詰まり状態を検知したセンサスイッチ４２０Ｒ（又は４２０Ｌ）に対応する側に配置されている例えば右側の除外部材回動用ソレノイド（図示省略）に対して、作動指令を出力する。
【０１２６】
これにより、例えば右側の除外部材３１０は、上述した回転トルクに対抗して、除外部材回動軸３１２を回動中心として下方に向けて回動し、右側の開口部３２６の内の上流部分が開放されることにより、詰まり状態にある人参がその開口部３２６から下方に落下し、案内シュータ３９２を経由して排出口３９１からリターンコンベア３９３へ送られて、貯留部１００に戻る（図１、図６参照）。
【０１２７】
上述した人参の詰まり状態解消動作が自動的に実行されることにより、人参の詰まり状態が解消されると、人参はセンサ板４１０Ｒ（又は、４１０Ｌ）に接触しなくなるので、制御装置にそれまで送信され続けていたＯＮ信号は停止する。これにより、制御装置は、人参の詰まり状態が解消したと判定し、汲上駆動モータ２１８への電源供給を開始し、汲上搬送装置２００による人参の搬送動作を再開すると共に、第１振動装置３２０Ａ、第２振動装置３２０Ｂ、閉側壁部回動用ソレノイド３６６、及び除外部材回動用ソレノイドへの電源供給を停止する。
【０１２８】
これにより、整列搬送装置３００側における人参の詰まり状態が自動的に解消されるので、作業の無人化が図られる。また、整列搬送装置３００から人参が溢れ出すことを防止できるので、人参が地面に落下するなどして、傷付くことが防止できると共に、人参の収量や商品価値の低下が防止される。
【０１２９】
次に、貯留部１００に着脱可能に設けられた水抜き用簀の子構造について、図２を用いて更に説明する。
【０１３０】
上述した通り、貯留部１００の前端側の側壁１０２ａの内、傾斜姿勢を成す傾斜部１０２ａａは、通常の傾斜板構造（図１参照）に代えて、水抜き用簀の子構造５００（図２参照）に変更可能に構成されている。
【０１３１】
この傾斜部１０２ａａは、台形状の枠体５１０と、その枠体５１０の上下の枠をスライドガイドとして左右横方向への移動が可能な塩ビ製パイプ５２０が複数配置されている。
【０１３２】
また、枠体５１０の左右の枠の内、何れか一方の枠が着脱可能に取り付けられており、枠体５１０に保持されている塩ビ製パイプ５２０を交換することが可能となる。
【０１３３】
また、塩ビ製パイプ５２０を交換する際に、枠体５１０の左右両側の枠が取り外されても、枠体５１０の台形状が維持できる様に、枠体５１０の上下の枠は左右の２か所において繋ぎ部材（図示省略）により連結されている。また、当該繋ぎ部材は、塩ビ製パイプ５２０を交換する際などに干渉しない様に、塩ビ製パイプ５２０の下方側を通過する構成である。
【０１３４】
また、塩ビ製パイプ５２０の両端部には、枠体５１０の上下の枠の板厚部分がスライドガイドとして挿入可能となる様に、切り欠き部（図示省略）が形成されており、且つ、その切り欠き部が形成された塩ビ製パイプ５２０の両端の内部にはゴム製板部材やクッション性を有する部材等の摩擦体（図示省略）が固定されている。
【０１３５】
摩擦体が切り欠き部の内側に設けられていることにより、塩ビ製パイプ５２０の両端部を、その切り欠き部を利用して、枠体５１０の上下の枠の板厚部分に挿入した場合、作業者が、塩ビ製パイプ５２０を持って、摩擦体と上下の枠との間で生じる摩擦力に対抗する力を加えることにより、左右横方向にスライド移動させることが可能となり、塩ビ製パイプ５２０のピッチを変更することが出来る。また、上下の枠に挿入された塩ビ製パイプ５２０は、上述した摩擦力に対抗する力を加えないと移動しないので、作業中において、塩ビ製パイプ５２０がスライド移動して、ピッチが変化することを防止できる。
【０１３６】
なお、図２から明らかな様に、台形状の枠体５１０の角部に配置された塩ビ製パイプ５２０についても、台形状の斜めの辺に相当する枠が長さの異なる塩ビ製パイプ５２０を階段状のスライドガイドで保持できる構成としているので、ピッチの変更が可能である。
【０１３７】
これにより、簡単な構成で水抜き用簀の子構造が実現でき、また、人参のサイズ等に応じて、簡単に塩ビ製パイプ５２０のピッチを調整できる。
【０１３８】
また、水抜き用簀の子の終端部には、軟質性で耐水性を有するシュータ５３０が配置されており、人参がスムーズに汲上搬送装置２００の始端部に導かれる構造を成している。
【０１３９】
次に、上述したステンレス製の人参搬送用床板部材２１５（図２参照）に設けられた水抜き孔２１６について、図２を用いて更に説明する。
【０１４０】
人参搬送用床板部材２１５（図２参照）の内、貯留部１００の内側下部に取り付けられた左右一対の側壁部材２０３の間において概ね水平に配置された部分には、多数の長孔状の水抜き孔２１６が形成されている。
【０１４１】
長孔状の水抜き孔２１６の長手方向は、人参の搬送方向に対応しており、且つ、水抜き孔２１６の短手方向は、人参の搬送方向に直行する方向、即ち、人参搬送用床板部材２１５の左右幅方向に対応している。また、人参搬送用床板部材２１５の両サイドから１列目と２列目にある水抜き孔２１６の長手方向の寸法は、それら以外の列にある水抜き孔２１６の長手方向の寸法の概ね２倍の長さに設定されている。また、水抜き孔２１６の短手方向の寸法は、人参搬送用床板部材２１５の両サイドから１列目にあるものを除き、２Ｓサイズ以下の人参の先端部より幅が狭い、概ね２〜３ｍｍに設定されている。
【０１４２】
また、人参搬送用床板部材２１５の両サイドから１列目にあるものは、概ね八の字形状を成しており、長手方向の中央部が狭くなっているので、人参の先端が入りにくい構造である。
【０１４３】
上記構成により、人参搬送用床板部材２１５（図２参照）の内、貯留部１００の内側下部において、概ね水平に配置された部分に設けられた多数の水抜き孔２１６からも水が抜け出る。
【０１４４】
次に、左右一対の第１整列搬送コンベア３３７、３３７と、左右一対の第２整列搬送コンベア３４８、３４８について、図１を用いて更に説明する。
【０１４５】
上述した整列搬送フレーム１２３（図１参照）の上面側に、左右一対の第１整列搬送コンベア３３７、３３７、及び左右一対の第２整列搬送コンベア３４８、３４８に駆動力を供給する整列駆動モータ３２８が固定されており、整列駆動モータ３２８の出力軸に出力スプロケット３２９が固定されている。また、三本の搬送ベルトを巻き掛ける溝部が形成された左右一対の第１駆動プーリ３３１、３３１が左右両端部に固定された第１駆動軸３３２が、左右の整列側壁部材３６０Ｌ、３６０Ｒ（図５参照）の前後方向の略中央部近傍に回動自在に取り付けられていると共に、三本の搬送ベルトを巻き掛ける溝部が形成された左右一対の第１従動プーリ３３３、３３３が左右両端部に固定された第１従動軸３３４が、左右の整列側壁部材３６０Ｌ、３６０Ｒ（図５参照）の前後方向の前端部近傍に回動自在に取り付けられている
また、第１駆動軸３３２の左右幅方向の中央部近傍には、整列駆動モータ３２８からの駆動力を整列伝動チェーン３３６を介して受け取る第１入力スプロケット（図示省略）が固定されている。
【０１４６】
これら左右一対の第１駆動プーリ３３１、３３１と、左右一対の第１従動プーリ３３３、３３３のそれぞれに形成された三つの溝部に、三本の第１整列搬送ベルト３３５が無端状に巻き掛けられることにより、左右一対の第１整列搬送コンベア３３７、３３７が構成されている。
【０１４７】
また、第１駆動軸３３２の左右幅方向の中央部近傍には、第１出力スプロケット（図示省略）が固定されている。
【０１４８】
一方、第１駆動軸３３２の後方近傍には、第２駆動軸３４０が、左右の整列側壁部材３６０Ｌ、３６０Ｒ（図５参照）の前後方向の略中央部近傍に回動自在に取り付けられており、その第２駆動軸３４０の左右両端部には、左右一対の第２駆動プーリ３４３、３４３が固定されていると共に、その第２駆動軸３４０の中央部には、第１駆動軸３３２の左右幅方向の中央部近傍に固定された上記第１出力スプロケットからの駆動力を中継伝動チェーン（図示省略）を介して受け取る第２入力スプロケット（図示省略）が固定されている。
【０１４９】
これら左右一対の第２駆動プーリ３４３、３４３と左右一対の第２従動プーリ３４４、３４４の溝部に、二本の第２整列搬送ベルト３４６が無端状に巻き掛けられることにより、左右一対の第２整列搬送コンベア３４８、３４８が構成されている。
【０１５０】
なお、左右一対の第１整列搬送コンベア３３７、３３７における三つの溝部の内、中央に位置する溝部に巻き掛けられた第１整列搬送ベルト３３５は、上述した通り、左右一対の第１駆動プーリ３３１、３３１と左右一対の第１従動プーリ３３３、３３３とに巻き掛けられていると共に、第２駆動軸３４０の両端部のそれぞれに固定された二つの第２駆動プーリ３４３、３４３の間に独立して回動自在に取り付けられた受けプーリ（図示省略）にも巻き掛けられている。
【０１５１】
これにより、左右一対の第１整列搬送コンベア３３７、３３７と左右一対の第２整列搬送コンベア３４８、３４８との間に隙間が生じなくなるので、その隙間に先端部の細い人参や生育不良などの極小サイズの人参が詰まることが防止でき、作業者が手作業で詰まった人参を取り除く必要がなくなるので作業の自動化が図られると共に、人参の整列搬送が停滞することを防止できるので、作業能率が向上する。
【０１５２】
また、左右一対の第１整列搬送コンベア３３７、３３７における三つの溝部の内、中央に位置する溝部に巻き掛けられた第１整列搬送ベルト３３５の厚み（即ち、上下幅）は、中央に位置する溝部の左右両側の溝部に巻き掛けられた第１整列搬送ベルト３３５、３３５のそれぞれの厚み（即ち、上下幅）より薄く構成されている（図５参照）。
【０１５３】
これにより、図５に示す様に、左右一対の第１整列搬送コンベア３３７、３３７が、背面視（又は正面視）で凹形状となり、人参がこの凹部に沿った姿勢で左右一対の整列搬送コンベア３３７、３３７に載りやすくなるので、人参の長手方向を左右一対の整列搬送コンベア３０１、３０１の搬送方向に沿って安定的に搬送することが出来る。
【０１５４】
なお、次に、人参選別搬送装置６００について、図３を用いて説明する。
【０１５５】
人参選別搬送装置６００は、図３に示す様に、左右一対の選別搬送コンベア６５６の巻き回し域内において、上流側から下流側に沿って、左右５つずつ設けた重量検出装置６５７で人参の重量を検出し、検出した重量が、作業前に予め設定した重量以上の重量であれば、選別搬送コンベア６５６で搬送中の人参を、重量検出装置６５７に対応して配置された選別撥ね飛ばし装置６５８で撥ね飛ばす構成である。
【０１５６】
また、選別撥ね飛ばし装置６５８で撥ね飛ばされた人参が落下する落下シュータ６５９が、選別撥ね飛ばし装置６５８に対応して配置されており、重量別に落下シュータ６５９を介して排出されてくる人参を収容する収容箱６６４が、重量別に左右それぞれに配置されている。
【０１５７】
上記実施の形態では、制御装置は、人参詰まり検知装置４００による検知結果から、人参が詰まっているものと判定した場合、汲上搬送装置２００による人参の搬送動作を停止させる構成について説明したが、これに限らず例えば、汲上搬送装置２００による人参の搬送速度を低減させる構成であっても良い。これにより、汲上搬送装置２００から整列搬送装置３００に供給される人参の数が減少するので、人参が整列搬送装置３００において滞留することや、整列搬送装置３００から溢れ出すことを低減できるので、溢れ出した作物を人手で回収する作業が減少する。また、人参の溢れ出し等の減少により人参に傷が付きにくくなるので、人参の収量や商品価値の低下が改善される。
【０１５８】
また、上記実施の形態では、人参を整列し搬送する人参整列装置１について説明したが、これに限らず例えば、人参以外の野菜や果物など他の作物であっても良い。
【０１５９】
また、上記実施の形態では、人参が左右一対のセンサ板４１０Ｌ、４１０Ｒの何れか一方又は双方に接触することにより、人参が接触したセンサ板４１０Ｌ（又は４１０Ｒ）に対応する側の接触状態検知ピン４２２を押圧することで、左右一対のセンサスイッチ４２０Ｌ、４２０Ｒのそれぞれが、人参とセンサ板４１０Ｌ、４１０Ｒとの接触状態を個別に検知することが出来る構成について説明した。しかし、本願発明の他の例としては、これに限らず例えば、左右一対のセンサ板４１０Ｌ、４１０Ｒの何れか一方又は双方が人参と接触していないときに位置する元の位置に存在している間、人参との非接触状態を検知し続ける左右一対の第２センサスイッチを備えた構成であっても良い。この構成の場合、制御装置は、第２センサスイッチによる、人参との非接触状態を検知していない時間が、上述した第１所定時間継続して入力されたと判定した場合、汲上搬送装置２００による人参の搬送動作を停止させるか、又は、その搬送速度を低減させる構成とすれば良い。
【０１６０】
また、上記実施の形態では、整列搬送装置３００が二連式の整列搬送コンベア３０１を有する構成について説明したが、これに限らず例えば、整列搬送装置３００が一連式の整列搬送コンベアを有する構成であっても良い。
【０１６１】
また、上記実施の形態では、第１振動装置３２０Ａを振り分け板部材３０２の内壁面に取り付けた場合について説明したが、これに限らず例えば、左右の整列側壁部材３６０Ｌ、３６０Ｒの傾斜面の内面であって、左右一対の第１整列搬送コンベア３３７、３３７の上流側と下流側のそれぞれに取り付けても良いし、更に、上記取り付け位置に加えて、左右一対の開口部３２６、３２６の近傍にも取り付けても良い。
【０１６２】
また、上記実施の形態では、第１振動装置３２０Ａ、及び第２振動装置３２０Ｂは、所定位置に移動可能に取り付けられた構成について説明したが、これに限らず例えば、予め定められた位置に固定された構成であっても良い。
【０１６３】
また、上記実施の形態では、第１振動装置３２０Ａ、第２振動装置３２０Ｂは、人参が詰まり状態にあると制御装置により判定された場合に振動する構成について説明したが、これに限らず例えば、複数の第１振動装置３２０Ａ及び第２振動装置３２０Ｂの全部又は一部について、人参が詰まり状態にあると判定された場合でなくても、作業中において定期的に、又は常時振動させる構成であっても良い。また、振動させる場合、連続的に振動させても良いし、或いは間欠的に振動させても良い。
【０１６４】
また、上記実施の形態では、第２振動装置３２０Ｂは、左右の整列側壁部材３６０Ｌ、３６０Ｒの内面側に固定されている場合について説明したが（図５参照）、これに限らず例えば、図６で示すように、第２振動装置３２０Ｂは、振り分け板部材３０２の搬送方向下手側（即ち、振り分け板部材３０２の背面の内側）で、且つ除外部材３１０の搬送方向上手側付近に設けてもよい。
【０１６５】
これにより、振り分け板部材３０２及び除外部材３１０に振動を加えることができるので、振り分け板部材３０２や除外部材３１０に接触した人参を整列搬送装置３００の搬送経路に移動させることができ、人参の滞留が防止され、作業能率の向上や作業の自動化が図られる。
【０１６６】
また、上記実施の形態では、除外部材３１０が、上述した第１の役割と第２の役割の両方を備えた構成について説明したが、これに限らず例えば、除外部材３１０は、上述した第１の役割と第２の役割の何れか一方を備えた構成であっても良いし、或いは、上記除外部材３１０に代えて上記第１の役割を有した第１部材を備え、その下流側に、上記第２の役割を有した第２部材を個別に備えた構成であっても良い。
【０１６７】
また、上記実施の形態では、制御装置が、左右一対のセンサスイッチ４２０Ｌ、４２０Ｒの少なくとも何れか一方から送信されてくるＯＮ信号が第１所定時間継続して入力されたと判定した場合、汲上駆動モータ２１８への電源供給を停止させる又は汲上搬送装置２００の搬送速度を低減させると共に、ランプ４６０を点灯させ、第１振動装置３２０Ａ及び第２振動装置３２０Ｂを振動させ、且つ、開閉側壁部回動用ソレノイド３６６を作動させ、更に、第１所定時間経過後、左右一対のセンサスイッチ４２０Ｌ、４２０Ｒの少なくとも何れか一方から送信されてくるＯＮ信号が、第２所定時間継続して入力されたと制御装置が判定した場合には、除外部材回動用ソレノイド（図示省略）を作動させて除外部材３１０を回動させる構成について説明した。しかし、これに限らず例えば、上記のＯＮ信号が第１所定時間継続して入力されたと制御装置が判定した場合、汲上駆動モータ２１８への電源供給を停止させる又は汲上搬送装置２００の搬送速度を低減させるだけの構成でも良いし、更に、それに加えて、上述したランプ４６０の点灯開始、第１振動装置３２０Ａと第２振動装置３２０Ｂの少なくとも何れか一方の振動装置の振動開始、開閉側壁部回動用ソレノイド３６６の作動開始、及び除外部材回動用ソレノイド（図示省略）の作動開始の少なくとも何れか一つの動作を開始させる構成であっても良い。
【０１６８】
また、上記実施の形態では、除外部材回動用ソレノイド（図示省略）を作動させて除外部材３１０を回動させる構成について説明した。しかし、これに限らず例えば、除外部材回動用ソレノイドを有さず、除外部材３１０を人手で操作して回動させるか、あるいは詰まった人参が押し合う力を受けると下方へ回動する構成としても良い。
【産業上の利用可能性】
【０１６９】
本発明の作物整列装置によれば、作物が詰まった場合でも人手により作物を除去する作業をなくすことができる上、作物を落下させたりして傷つけることなく、作物の商品価値の低下を抑制できるという効果を有し、例えば作物の選別搬送装置等と組み合わせることにより、安定した作物の選別作業を実施できるものとして有用である。
【符号の説明】
【０１７０】
１００    貯留部
２００    汲上搬送装置
３００    整列搬送装置
３３７    第１整列搬送コンベア
３４８    第２整列搬送コンベア
４００    人参詰まり検知装置
４５０    制御盤
【図１】
2018052708.tif 000003
【図２】
2018052708.tif 000004
【図３】
2018052708.tif 000005
【図４】
2018052708.tif 000006
【図５】
2018052708.tif 000007
【図６】
2018052708.tif 000008